【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
テンプレート・マッチング予測を利用して、ピクチャ内の少なくとも一つのブロックについてピクチャデータを符号化するビデオエンコーダを備え、前記テンプレート・マッチング予測は、ブロックを符号化する際に使用される複数の残差更新方式から選択するステップを含む、装置。
【請求項２】
ビデオエンコーダにおける方法であって、テンプレート・マッチング予測を利用して、ピクチャ内の少なくとも一つのブロックについてピクチャデータを符号化するステップを含み、前記テンプレート・マッチング予測は、ブロックを符号化する際に使用される複数の残差更新方式から選択するステップを含む、前記方法。
【請求項３】
前記複数の残差更新方式の少なくとも一つは、レート歪コストに基づいて選択される、請求項２に記載の方法。
【請求項４】
前記複数の残差更新方式の各々は、ブロックを複数のサブブロックに細分化するステップを含み、前記複数の残差更新方式の一つは、特定のサブブロックに関する予測を探索するステップに引き続き、テンプレート・マッチング予測に関するブロックの処理の完了以前に、前記複数のサブブロックから特定のサブブロックの残差に変換を適用するステップを含み、前記複数の更新方式の他の一つは、特定のサブブロックに関する予測を探索するステップに引き続き、テンプレート・マッチング予測に関するブロックの処理の完了に引き続き、前記複数のサブブロックのうち特定のサブブロックの残差に変換を適用するステップを含む、請求項２に記載の方法。
【請求項５】
前記複数の残差更新方式は、結果として生じるビットストリームで明示的に示される、請求項２に記載の方法。
【請求項６】
前記複数の残差更新方式の少なくとも一つは、ピクチャとしての同一のビデオシーケンスに対応する復号化されたピクチャ、少なくとも一つのブロックの量子化パラメータの値、ブロック内の少なくとも一つのサブブロック、ブロックに対する少なくとも一つの隣接ブロック、または少なくとも一つのサブブロック、ピクチャコンテンツ統計、細分化情報および少なくとも一つの隣接ブロックの符号化情報のうちの少なくとも１つに基づいて選択される、請求項２に記載の方法。
【請求項７】
ブロックを予測するために、２つ以上の前記複数の残差更新方式が組合せ可能である、請求項２に記載の方法。
【請求項８】
前記複数の残差更新方式の各々は、互いに対して独立であり、ブロックの最終予測は、少なくとも２つの前記複数の残差更新方式の出力の組合せである、請求項７に記載の方法。
【請求項９】
前記複数の残差更新方式は互いに従属しており、前記複数の残差更新方式のうち特定の一つのものの一つの出力は、前記複数の残差更新方式の少なくとの一つの他の特定の一つのものの少なくとも一つの他の出力に従属している、請求項７に記載の方法。
【請求項１０】
テンプレート・マッチング予測を利用して、ピクチャ内の少なくとも一つのブロックについてピクチャデータを復号化する、ビデオデコーダを備えた装置であって、前記テンプレート・マッチング予測は、ブロックを符号化する際に使用される複数の残差更新方式から選択するステップを備える、装置。
【請求項１１】
テンプレート・マッチング予測を利用して、ピクチャ内の少なくとも一つのブロックについてピクチャデータを復号化するステップを含む、ビデオエンコーダにおける方法であって、前記テンプレート・マッチング予測は、ブロックを符号化する際に使用される複数の残差更新方式から選択するステップを含む、前記方法。
【請求項１２】
前記複数の残差更新方式の各々は、ブロックを複数のサブブロックに細分化するステップを含み、前記複数の残差更新方式の一つは、特定のサブブロックに関する予測を探索するステップに引き続き、テンプレート・マッチング予測に関するブロックの処理の完了以前に、前記複数のサブブロックから特定のサブブロックの残差に変換を適用するステップを含み、前記複数の更新方式の他の一つは、特定のサブブロックに関する予測を探索するステップに引き続き、テンプレート・マッチング予測に関するブロックの処理の完了に引き続き、前記複数のサブブロックのうち特定のサブブロックの残差に変換を適用するステップを含む、請求項１１に記載の方法。
【請求項１３】
前記複数の残差更新方式の少なくとも一つは、ピクチャとしての同一のビデオシーケンスに対応する復号化されたピクチャ、少なくとも一つのブロックの量子化パラメータの値、ブロック内の少なくとも一つのサブブロック、ブロックに対する少なくとも一つの隣接ブロック、または少なくとも一つのサブブロック、ピクチャコンテンツ統計、細分化情報および少なくとも一つの隣接ブロックの符号化情報のうちの少なくとも１つに基づいて選択される、請求項１１に記載の方法。
【請求項１４】
ブロックを予測するために、２つ以上の前記複数の残差更新方式が組合せ可能である、請求項１１に記載の方法。
【請求項１５】
前記複数の残差更新方式の各々は、互いに対して独立であり、ブロックの最終予測は、少なくとも２つの前記複数の残差更新方式の出力の組合せである、請求項１４に記載の方法。
【請求項１６】
前記複数の残差更新方式は互いに従属しており、前記複数の残差更新方式のうち特定の一つのものの一つの出力は、前記複数の残差更新方式の少なくとの一つの他の特定の一つのものの少なくとも一つの他の出力に従属している、請求項１４に記載の方法。
【請求項１７】
符号化されたビデオ信号データを有する一時的でないコンピュータ可読記憶媒体であって、
テンプレート・マッチング予測を利用して、ピクチャ内の少なくとも一つのブロックについて符号化されたピクチャデータを備え、前記テンプレート・マッチング予測は、ブロックを符号化する際に使用される複数の残差更新方式から選択するステップを含む、前記媒体。
【請求項１８】
テンプレート・マッチング予測を利用して、ピクチャ内のブロックを符号化するビデオエンコーダを備え、前記テンプレート・マッチング予測は、ブロックを複数のサブブロックに細分化するステップと、特定のサブブロックに関する予測を探索するステップに引き続き、テンプレート・マッチング予測に関するブロックの処理の完了以前に、前記複数のサブブロックから特定のサブブロックの残差に変換を適用するステップとを含む、装置。
【請求項１９】
ビデオエンコーダにおける方法であって、テンプレート・マッチング予測を利用して、ピクチャ内のブロックを符号化するステップを含み、前記テンプレート・マッチング予測は、ブロックを複数のサブブロックに細分化するステップと、特定のサブブロックに関する予測を探索するステップに引き続き、テンプレート・マッチング予測に関するブロックの処理の完了以前に、前記複数のサブブロックから特定のサブブロックの残差に変換を適用するステップと、を含む、前記方法。
【請求項２０】
テンプレート・マッチング予測を利用して、ピクチャ内のブロックを復号化するビデオエンコーダを備え、前記テンプレート・マッチング予測は、
ブロックを複数のサブブロックに細分化するステップと、特定のサブブロックに関する予測を探索するステップに引き続き、テンプレート・マッチング予測に関するブロックの処理の完了以前に、前記複数のサブブロックから特定のサブブロックの残差に変換を適用するステップとを含む、装置。
【請求項２１】
ビデオデコーダにおける方法であって、テンプレート・マッチング予測を利用して、ピクチャ内のブロックを復号化するステップを含み、前記テンプレート・マッチング予測は、ブロックを複数のサブブロックに細分化するステップと、特定のサブブロックに関する予測を探索するステップに引き続き、テンプレート・マッチング予測に関するブロックの処理の完了以前に、前記複数のサブブロックから特定のサブブロックの残差に変換を適用するステップと、を含む、前記方法。
【請求項２２】
符号化されたビデオ信号データを有する一時的でないコンピュータ可読記憶媒体であって、
テンプレート・マッチング予測を利用して符号化したピクチャ内のブロックを備え、前記テンプレート・マッチング予測は、ブロックを複数のサブブロックに細分化するステップと、特定のサブブロックに関する予測を探索するステップに引き続き、テンプレート・マッチング予測に関するブロックの処理の完了以前に、前記複数のサブブロックから特定のサブブロックの残差に変換を適用するステップとを含む、前記媒体。